(57)【要約】　　　（修正有）【課題】湯が沸騰した時の通報の手段としては鍋・ヤカンに警報装置を取付れば解決すると考え、既存、新品にかかわらず、どの様な鍋又はヤカンにでも簡単に取付可能な調理器具用温度報知器を提供する。【解決手段】ヤカンの内部温度沸騰点を感知するための温度サーモ５と電源用電池４とアラーム発生電子回路２とスピーカー３を配線で一連の作動が出来る様接続し、回路内にアラーム作動用ＯＮ．ＯＦＦのスイッチ９を挿入し、さらに電源用電池の消耗度チェック用押しボタンスイッチ１０も附加した機能を有する調理器具用温度報知器である。【選択図】　　図１
0003097969.tif 000002
【実用新案登録請求の範囲】
【請求項１】
耐熱材質で、多角形や丸形の所定の長さの指先でつまみ易い太さの筒状のツマミ（１）の中に、アラーム発生電子回路（２）とスピーカー（３）と電源用電池（４）温度サーモスイッチ（５）の一部をツマミの外に露出させ、それぞれを配線結合させ一体としたものを内蔵する特徴をもったツマミを、ナベ又はヤカンの蓋に取りつけ固定させるに必要なオスネジ（６）を固着し、当該ナベ又はヤカンの蓋のツマミ穴に差し込み、メスネジ（７）でヤカンの蓋（８）を挟む様にして締めつけ本考案のツマミ（１）を固定取りつける。この蓋をナベ又はヤカンにのせて湯沸、煮物調理に使用する。
【請求項２】
本ツマミ（１）には、使用時はスイッチ（９）をＯＮとし、沸騰を報らせるアラーム音を切るためにスイッチ（９）をＯＦＦとする。又定期的に電池の消耗度チェックのための押しボタン（１０）機能も有している。
【請求項３】
ツマミ本体（１）の上部側面に発生アラーム音が外部により良く響く様に数個の穴（１１）を有する。
【請求項４】
ツマミ本体（１）には、電池交換が容易な位置に電池交換用扇（１２）をもうけてある。
【考案の詳細な説明】
【０００１】
【考案の属する技術分野】
本考案は、鍋・ヤカン等の湯沸、煮物等調理の際の湯の沸騰温度に達した事の温度報知に関するものである。
【０００２】
【従来の技術】
ヤカンに関しては笛吹ケットルと称する商品がある。これはヤカンの口に笛が取りつけられていて湯が沸騰の時に出る蒸気の圧力を利用笛を鳴らす方式である。他には吊下げ具を持った調理器具用温度報知器が出願されている様だが市販品としてはまだ見ない。鍋、ヤカンに関してはこの様な報知手段があるようである。
【０００３】
【考案が解決しようとする課題】
笛吹きケットルはヤカン製造の時点でヤカンの口先端に笛を取付てあり、他の既存のヤカンに取りつける事が出来ない。誰でも経験したことがあるが、鍋・ヤカンのかけ忘れによる空炊きや時としてボヤ、火災につながった例は身近な所での話を耳にする。湯を沸かす場合案外時間がかかる。つい待ちきれなくて他の用事をして忘れ、あわてる事がある。炊事は毎日、数回に及ぶ鍋・ヤカンの全てにあっても良い様に思われる。
【０００４】
【課題を解決するための手段】
本考案では上記目的を達成するために、どの様な既存の鍋又はヤカンにも取付つけ出来る沸騰を報せる警報機内蔵の鍋・ヤカンの蓋のツマミを考案提供するものである。
【０００５】
鍋又はヤカンの内部温度沸騰点を感知するための温度サーモ（５）と電源用電池（４）とアラーム発生電子回路（２）とスピーカー（３）を配線で一連の作動が出来る様接続し、回路内にアラーム作動用ＯＮ．ＯＦＦのスイッチ（９）を挿入．電源用電池の消耗度チェック用押しボタンスイッチ（１０）も附加した機能を有する温度サーモ・アラーム内蔵の鍋・ヤカンの蓋のツマミを考案提供するものである。
【０００６】
【考案の実施の形態】
【図１】の透視図に示す如く温度サーモ（５）は鍋又はヤカンの内部温度が感知出来る様ツマミ本体（１）から外部へ突き出し装着し、リード線はアラーム作動スイッチ（９）に直列に接続しアラーム作動スイッチ（９）はアラーム発生電子回路（２）に接続出力はスピーカー（３）で音を発生させる。電源電池（４）のＯＮ．ＯＦＦはアラーム作動スイッチ（９）で操作する。アラーム発生音は９０ｄｂ〜１００ｄｂ程度のピーピー音の連続音とした。
【０００７】
温度サーモ（５）の感温部は水中に入れず、容器内中空位置で使用、温度サーモ（５）の作動温度は実験結果９０°ＯＮを選定．感知時間差があり鍋・ヤカンの内部温度が丁度１００°Ｃの沸騰温度で作動する。
【０００８】
電源スイッチ（９）は鍋又はヤカンを火にかける時スイッチＯＮとし、沸騰アラーム作動の時、音を止めるためスイッチ（９）をＯＦＦとし停止とする。
【０００９】
本考案のツマミ本体（１）の上部側面にアラーム発生音を外部に響かせるため、数個の小径穴（１１）を開け、ツマミ本体の上部は盲とする。
【００１０】
アラーム作動スイッチ（９）は本考案ツマミの上部側面に設置電源電池の消耗チェック押ボタン（１０）もツマミ本体（１）の側面に設置する。チェック押ボタンを押すことで、アラーム音が発生し電池の交換時期を知ることが出来る。
【００１１】
本考案の鍋又はヤカンの蓋ツマミ本体（１）を
【図２・３】の如く、鍋又はヤカンの蓋（８）に取りつけるためのツマミ本体（１）に固着したオスネジ（６）と蓋を挟み締めつけ固定するメスネジ（７）を具備する。
【００１２】
本考案のツマミ（１）の外装に、内蔵アラームの電源用電池の交換に必要な扇（１２）（点線で示す仮想線）を有する。
【００１３】
【考案の効果】
本考案は、上記のとおり構成されているので、次に記載する効果を奏する。
【００１４】
既存の鍋・ヤカンの蓋についているツマミをはずし、取付用ビス穴をリーマ等で本考案のツマミの取付用オスネジが入る穴に拡げ取付ることが簡単で、即使用できる。使用結果は確実に作動し、音量も良く、つけ忘れ報知に効果大であった。電池の消費量も少なく長期使用が望める。湯量の多少に関係なく沸騰点に達すると作動報知する。
【図面の簡単な説明】
【図１】本考案に係る温度サーモ・アラー内蔵の鍋・ヤカンの蓋のツマミの透視図
【図２】本考案に係る温度サーモ・アラー内蔵の鍋・ヤカンの蓋のツマミの取付斜視図
【図３】本考案に係る温度サーモ・アラーム内蔵の鍋・ヤカンの蓋のツマミの取付斜視図
【符号の説明】
（１）耐熱性樹脂の多角形又は丸形状のツマミ本体
（２）アラーム発生電子回路基板
（３）セラミックスピーカー
（４）電源電池
（５）温度サーモ
（６）鍋又はヤカンの蓋への取付用オスネジ
（７）同上締めつけメスネジ
（８）鍋又はヤカンの蓋
（９）電源スイッチ
（１０）チェック用押ボタン
（１１）音響用穴
（１２）電池交換用扇
【図１】
0003097969.tif 000003
【図２】
0003097969.tif 000004
【図３】
0003097969.tif 000005
【手続補正書】
【提出日】平成15年6月9日(2003.6.9)
【手続補正２】
【補正対象書類名】明細書
【補正対象項目名】実用新案登録請求の範囲
【補正方法】変更
【補正の内容】
【実用新案登録請求の範囲】
【請求項１】
筒状のツマミ本体（１）と、当該ツマミ本体（１）の内部に収納されたアラーム発生電子回路（２）及び当該アラーム発生電子回路（２）に接続されたスピーカ（３）と、前記アラーム発生電子回路（２）に接続された温度サーモスイッチ（５）とを備え、
前記ツマミ本体（１）は調理器具に取り付け可能であり、当該ツマミ本体（１）が取り付けられたとき、前記温度サーモスイッチ（５）の一部が調理器具の中空に位置し、当該調理器具が所定の温度に達すると、アラームを報知する温度報知機能を有する調理器具用温度報知機。
【請求項２】
前記ツマミ本体（１）は、前記調理器具に形成されたツマミ穴に差し込み可能なオスネジ（６）を有し、前記ツマミ穴に差し込まれた前記オスネジ（６）に対応するメスネジ（７）によって前記調理器具を挟むように締め付けることで、前記ツマミ本体（１）が前記調理器具に取り付け可能となっている請求項１に記載の調理器具用温度報知機。
【請求項３】
前記ツマミ本体（１）の内部にスイッチ（９）が収納され、前記温度報知機能を使用するとき、前記スイッチ（９）をＯＮとし、前記アラームが報知されたときにアラーム音を切るために前記スイッチ（９）をＯＦＦとすることを特徴とする請求項１、又は２に記載の調理器具用温度報知機。
【請求項４】
前記ツマミ本体（１）の内部には電源用電池（４）と、当該電源用電池（４）の消耗度をチェックするための押しボタン（１０）とが収納されていることを特徴とする請求項１〜３のいずれかに記載の調理器具用温度報知機。
【請求項５】
前記ツマミ本体（１）の側面に、前記電源用電池（４）を収納するための電池交換用扉（１２）が形成されていることを特徴とする請求項４に記載の調理器具用温度報知機。
【請求項６】
前記ツマミ本体（１）の側面に、前記アラームが報知されたときにアラーム音を外部に響かせるための複数の穴（１１）が形成されている特徴とする請求項１〜５のいずれかに記載の調理器具用温度報知機。
【手続補正３】
【補正対象書類名】明細書
【補正対象項目名】０００４
【補正方法】変更
【補正の内容】
【０００４】
【課題を解決するための手段】
本考案では上記目的を達成するために、どの様な既存の鍋又はヤカンにも取付け出来る沸騰を報せる警報機内蔵の調理器具用温度報知器を考案提供するものである。


【手続補正４】
【補正対象書類名】明細書
【補正対象項目名】０００５
【補正方法】変更
【補正の内容】
【０００５】
鍋又はヤカンの内部温度沸騰点を感知するための温度サーモ（５）と電源用電池（４）とアラーム発生電子回路（２）とスピーカー（３）を配線で一連の作動が出来る様接続し、回路内にアラーム作動用ＯＮ．ＯＦＦのスイッチ（９）を挿入し、さらに電源用電池の消耗度チェック用押しボタンスイッチ（１０）も附加した機能を有する調理器具用温度報知器を考案提供するものである。


【手続補正５】
【補正対象書類名】明細書
【補正対象項目名】００１１
【補正方法】変更
【補正の内容】
【００１１】
本考案の調理器具用温度報知器のツマミ本体（１）を図２及び図３の如く、鍋又はヤカンの蓋（８）に取りつけるためのツマミ本体（１）に固着したオスネジ（６）と蓋を挟み締めつけ固定するメスネジ（７）を具備する。


【手続補正６】
【補正対象書類名】明細書
【補正対象項目名】図面の簡単な説明
【補正方法】変更
【補正の内容】
【図面の簡単な説明】
【図１】本発明に係る調理器具用温度報知器の透視図
【図２】本発明に係る調理器具用温度報知器を鍋に取付けた場合の斜視図
【図３】本発明に係る調理器具用温度報知器のヤカンに取付けた場合の斜視図